(57)【要約】【課題】携帯機器の着脱が簡単且つ容易に行え、必要時に即取外して使用することができる携帯機器保持具を提供する。【解決手段】携帯電話Ａを二つ折り状態に折畳んでから及び折畳むまえに、携帯電話Ａの一端側Ａａを、携帯機器保持具１０を構成する保持具本体２０と、突出部３２，３２に架設した吊掛け糸３１との間に上方から挿入し、吊掛け糸３１を、携帯電話Ａの一端側Ａａ及び他端側Ａｂの折畳み面間に挿入して、携帯電話Ａを吊掛け糸３１に対して跨ぐ状態に吊掛ける。吊掛け糸３１に吊掛けられた携帯電話Ａを手で保持して、吊掛け糸３１が抜取られる方向（上方）に持上げ、吊掛け糸３１を、携帯電話Ａの一端側Ａａ及び他端側Ａｂの折畳み面間から抜取り、使用可能な開角度に展開して使用する。【選択図】　図４
2004140727.tif 000002
【特許請求の範囲】
【請求項１】
折畳み式の携帯機器を、装着部に対して着脱可能に保持する携帯機器保持具であって、
上記装着部に対して取付けられる取付け部を、上記携帯機器保持具を構成する保持具本体の後面側に設け、
上記携帯機器の折畳み面間に対して挿入が許容され、該携帯機器が吊掛けた状態に支持される吊掛け部を、上記保持具本体の前面側に設けた
携帯機器保持具。
【請求項２】
上記吊掛け部を、上記携帯機器の折畳み面間に対して挿入が許容される吊掛け部材を、上記保持具本体の前面側両端部に突出した突出部間に架設して構成した
請求項１記載の携帯機器保持具。
【請求項３】
上記吊掛け部材を、上記携帯機器の折畳み面間に対して挿入が許容される上下間隔に隔てて複数架設した
請求項２記載の携帯機器保持具。
【請求項４】
上記吊掛け部材を、柔軟性を有する吊掛け糸で構成した
請求項２又は３記載の携帯機器保持具。
【請求項５】
上記吊掛け部に吊掛けられた状態に上記携帯機器を規制する規制手段を、上記保持具本体に設けた
請求項１記載の携帯機器保持具。
【請求項６】
上記取付け部を、上記装着部外面に対して跨いだ状態に装着される形状に形成すると共に、
上記取付け部の対向面を対接した状態に固定する固定手段を、該取付け部の対向面に設けて構成した
請求項１記載の携帯機器保持具。
【発明の詳細な説明】
【０００１】
【発明の属する技術分野】
この発明は、例えば携帯電話やモバイルコンピューター、ＣＤ及びＭＤのプレーヤー、テープレコーダ、その他の情報携帯端末等の折畳み可能な携帯機器を保持するのに用いられる携帯機器保持具に関する。
【０００２】
【従来の技術】
従来、上述例の携帯電話を保持する保持具としては、例えばケースの開口部を閉塞する蓋を開放して、携帯電話をケースに収納した後、背面と蓋との対向面を係止部で固定すると共に、表面と背面とを、両側面の復元力により携帯電話の表裏両面に押し付け、底面と蓋とを、両側面の復元力により携帯電話の上下端部に押し付けて、携帯電話をケースに収納された状態に保持する特許文献１の携帯用ケースと、
ケースの挿入口を閉塞する蓋を開放して、携帯電話をケースに収納した後、蓋の遊端側に取付けた掛け具を、ケース表面に取付けた留め具に係止して、携帯電話をケースに収納された状態に保持する特許文献２の携帯電話ホルダーとがある。
【０００３】
【特許文献１】
特開平９−２７６０２２号公報。
【０００４】
【特許文献２】
実用新案登録第３０３２３２０号公報。
【０００５】
【発明が解決しようとする課題】
しかし、特許文献１の携帯用ケースは、係止部による係止を解除して、蓋を開放した後、携帯電話をケースに対して出し入れしなれければならず、蓋を開閉する作業が煩わしく、携帯電話を出し入れするのに手間及び時間が掛かるだけでなく、ケース内部に収容される特定サイズの携帯電話のみに用途が限定される。
【０００６】
一方、特許文献２の携帯電話ホルダーは、掛け具と留め具との係止を解除して、蓋を開放した後、携帯電話をケースに対して出し入れしなければならず、蓋を開閉する作業が煩わしく、携帯電話を出し入れするのに手間及び時間が掛かる。且つ、ケース全長よりも携帯電話が短いと、携帯電話全体がケースに没入してしまい、携帯電話が長いと、ケースの挿入口から突出するため、挿入口を蓋で閉塞することが不可であり、特定サイズの携帯電話のみに用途が限定される。
【０００７】
この発明は上記問題に鑑み、折畳み式の携帯機器を、保持具本体前面に設けられた吊掛け部に対して跨いだ状態に吊掛けることにより、携帯機器の着脱が簡単且つ容易に行え、必要時に即取外して使用することができる携帯機器保持具の提供を目的とする。
【０００８】
【課題を解決するための手段】
この発明は、折畳み式の携帯機器を、装着部に対して着脱可能に保持する携帯機器保持具であって、上記装着部に対して取付けられる取付け部を、上記携帯機器保持具を構成する保持具本体の後面側に設け、上記携帯機器の折畳み面間に対して挿入が許容され、該携帯機器が吊掛けた状態に支持される吊掛け部を、上記保持具本体の前面側に設けた携帯機器保持具であることを特徴とする。
【０００９】
上述の装着部は、例えばズボンやスカートのベルト（又はバンド）、ベルト挿通部、サスペンダー、鞄やリュックのベルト等で構成することができる。また、携帯機器は、例えば携帯電話やモバイルコンピューター、ＣＤ及びＭＤのプレーヤー、テープレコーダ、その他の情報携帯端末等の折畳み可能（例えば二つ折り状態に折畳み可能）な携帯機器で構成することができる。また、保持具本体の取付け部は、例えば装着部外面に対して跨いだ状態に装着される形状に形成するか、装着部外面に対して直接固定及び取付け可能な構造に構成することができる。また、吊掛け部は、例えば携帯電話の折畳み面間に対して挿入が許容される吊掛け部材を、保持具本体の前面側両端部に突出した突出部間に架設して構成することができる。その吊掛け部材は、例えば合成樹脂や天然繊維、合成ゴム、金属等の単一又は複合した材質からなる柔軟性を有する吊掛け糸（例えば釣り用のテグス＝天蚕糸）、或いは、線条体（糸を含む）及びベルト、略帯状の布、不織布、線条のコイルスプリング、略棒状及び略板状、略フィルム状、略シート状の吊掛け体等で構成され、且つ、例えば二つ折り状態に折畳まれた携帯機器の折畳み面間に対して挿入及び抜取りが許容され、その折畳み状態及び吊掛け状態が維持される外径及び肉厚、柔軟性、接触抵抗を有している。
【００１０】
且つ、吊掛け部及び吊掛け部材の外面を、例えば合成ゴムや軟質樹脂等の柔軟性を有する被覆部材で被覆して、携帯機器の折畳み面に擦り傷が付くのを防止することもできる。且つ、吊掛け部外面及び吊掛け部材外面の接触抵抗を大きくするか、接触抵抗の大きな被覆部材を支持部外面に被覆する等して、携帯機器の折畳み面間から吊掛け部及び吊掛け部材が抜け落ちるのを防止することもできる。
【００１１】
つまり、携帯機器（例えば携帯電話）の折畳んでから及び折畳むまえに、携帯機器の一端側を、携帯機器保持具を構成する保持具本体と吊掛け部（例えば柔軟性を有する吊掛け糸）との対向面間に挿入し、吊掛け部を携帯機器の折畳み面間に挿入して、携帯機器を吊掛け部に対して跨ぐ状態に吊掛ける。吊掛け部に吊掛けられた携帯機器を手で保持して、携帯機器の折畳み面間から吊掛け部が抜取られる方向に移動させ、吊掛け部を、携帯機器の折畳み面間から抜取り、携帯機器を使用可能な開角度に展開して使用する。
【００１２】
実施の形態として、上記吊掛け部材を、上記携帯機器の折畳み面間に対して挿入が許容される上下間隔に隔てて複数架設することができる。また、上記吊掛け部材を、柔軟性を有する吊掛け糸で構成することができる。また、上記吊掛け部に吊掛けられた状態に上記携帯機器を規制する規制手段（例えばストッパーや爪部、突起等）を、上記保持具本体に設けることができる。また、上記取付け部を、上記装着部外面に対して跨いだ状態に装着される形状に形成すると共に、上記取付け部の対向面を対接した状態に固定する固定手段（例えば凸状部材及び凹状部材を互いに係止する止め部材やホック、面ファスナー、マグネット或いは取付け部の対向面を互いに固定する紐や鎖、ネジ、ワイヤー或いは取付け部の一端側に取付けたフックを、他端側に設けた係止部に係止する等の手段）を、該取付け部の対向面に設けて構成することができる。
【００１３】
【作用及び効果】
この発明によれば、折畳み式の携帯機器を、保持具本体前面に設けられた吊掛け部に対して跨いだ状態に吊掛けるので、折畳み式の携帯機器であれば、その厚みや形状に関係なく、様々なサイズの携帯機器を吊掛け状態に保持することができる。且つ、従来例のようにケース内部に収容するか、ケースの開口部を蓋で閉塞する等の手間及び作業が省け、携帯機器の着脱が簡単且つ容易に行えると共に、必要時に即取外して使用することができる。
【００１４】
【実施例】
この発明の一実施例を以下図面に基づいて詳述する。
【００１５】
図面は、携帯機器の一例である折畳み式の携帯電話を保持するときに用いられる携帯機器保持具を示し、図１に於いて、この携帯機器保持具１０は、利用者が装着するズボン（図示省略）のベルトＢに対して装着される保持具本体２０と、折畳み式の携帯電話Ａが吊掛けられる吊掛け部３０と、携帯電話Ａを吊掛け部３０に吊掛けた状態に保持する係止部４０とで構成される。
【００１６】
上述の保持具本体２０は、図２、図３、図４にも示すように、例えばプラスチックス（軟質のビニールを含む）や金属、セラミックス、硬質ガラス、木等の単一又は複合した材質で構成され、ベルトＢ外面に対して厚み方向に跨いだ状態に装着される大きさ及び形状に湾曲した側面から見て略上下逆Ｕ字状の取付け部２１を、保持具本体２０の後面側に形成し、その保持具本体２０の前面側を、二つ折り状態に折畳まれた携帯電話Ａが折畳み方向（縦向き方向）に対して保持される横幅に形成している。
【００１７】
且つ、取付け部２１の下端側を、ベルトＢよりも下方に突出する大きさ及び長さに形成し、取付け部２１の下端側対向面を互いに対接した状態に固定する止め部材２２を、ベルトＢよりも下方に突出する取付け部２１の下端側対向面に取付けている。
【００１８】
上述の止め部材２２は、互いに係止される凸状部材２２ａ及び凹状部材２２ｂで構成され、携帯電話Ａが吊掛けられた保持具本体２０を、ベルトＢ上の所定位置に固定するのに必要な係止力を有している。また、止め部材２２を、例えばベルトＢの幅に応じて所定間隔に隔てて複数個取付けてもよい。
【００１９】
且つ、上述の取付け部２１を、ズボンの腰部とベルトＢとの間に対して差し込み固定される構造又は形状に形成するか、ベルトＢ外面に対して巻付け可能な柔軟性を有する材質で帯状に形成する等してもよい。
【００２０】
加えて、携帯電話Ａが保持された保持具本体２０をベルトＢ上の所望する位置に固定する場合、例えばベルトＢ及び取付け部２１の対向面に装着した滑り止め部材や板バネ、ネジ、弾性体等の接触抵抗により固定するか、ベルトＢ自体を取付け部２１で厚み方向に挟持するか、取付け部２１の内側対向面に突設した突起や歯部等の食込み部をベルトＢ自体に食い込ませる等して固定することができる。
【００２１】
加えて、携帯電話Ａと対向する保持具本体２０の前面側及後述する突出部３２の外面に、例えば合成ゴムや軟質樹脂、布地、毛等の柔軟性を有する緩衝部材（図示省略）を装着及び接触抵抗の大きな滑り止め部材（図示省略）を装着する等して、携帯電話Ａが傷付いたり、後述する吊掛け糸３１から抜け落ちたりするのを防止することもできる。
【００２２】
前述の吊掛け部３０は、柔軟性を有する複数本（実施例では２本）の吊掛け糸３１を、携帯電話Ａを構成する一端側Ａａ（例えば操作側）及び他端側Ａｂ（例えば画面側）の折畳み面間に対して挿入が許容される上下間隔に隔てて、保持具本体２０の前面側両端部に突出した突出部３２，３２の上端側対向面間に略平行して水平張架すると共に、２本の吊掛け糸３１を、一端側Ａａ及び他端側Ａｂの厚みよりも幅狭となる上下間隔に架設している。なお、吊掛け糸３１の本数を、例えば１本及び２本以上に変更してもよい。
【００２３】
且つ、保持具本体２０及び吊掛け糸３１の対向面間を、携帯電話Ａの一端側Ａａ（例えば操作側）及び他端側Ａｂ（例えば画面側）が略垂直及び略斜め下向きに挿入が許容される間隔に離間している。また、突出部３２を、例えば保持具本体２０の前面側両端部を前方に向けて略直角に折り曲げて形成することもできる。
【００２４】
且つ、突出部３２，３２は、吊掛け糸３１に吊掛けられた携帯電話Ａを保持具本体２０の横幅よりも内側に保持及び規制する間隔に隔てて形成し、携帯電話Ａの両側面に対して当接される高さに形成している。
【００２５】
上述の吊掛け糸３１は、二つ折り状態に折畳まれた携帯電話Ａを構成する一端側Ａａ及び他端側Ａｂの折畳み面間に対して挿入及び抜取りが許容され、その折畳み状態を保持するのに適した糸径及び外径に形成している。且つ、携帯電話Ａの操作側折畳み面に突出する凹凸、例えば操作ボタンや操作レバー、操作ダイヤル等に略対応して変位する柔軟性と、携帯電話Ａの一端側Ａａ及び他端側Ａｂが挿入及び抜取りが許容される状態に変位する撓み性及び伸縮性と、変位する前の元の状態に復元する復元性とを有している。
【００２６】
且つ、吊掛け糸３１を突出部３２，３２間に架設する場合、吊掛け糸３１の両端部を突出部３２の孔部（図示省略）に挿通して結束固定するが、例えば吊掛け糸３１の両端部に連結した抜止め部（図示省略）を突出部３２の孔部及び溝部、切欠き部等に係止して着脱交換可能に架設することもできる。また、吊掛け糸３１の端部が突出部３２外面に露出及び突出する場合、例えば合成ゴムやプラスチックス等で被覆及び保護してもよい。
【００２７】
前述の係止部４０は、吊掛け糸３１に吊掛けられた携帯電話Ａに係止されるストッパー４１の基端部４１ａを、保持具本体２０の上端側に形成した筒状部４２に対してスライド可能に収容及び保持し、基端部４１ａ周面に突設した遊端部４１ｂを、筒状部４２周面を略１／４切欠いて形成した溝部４２ｂを介して径方向に突出して、ストッパー４１を、吊掛け糸３１に吊掛けられた携帯電話Ａに係止される水平状態（図３中の実線で示す）と、その係止が解除される鉛直状態（図３中の仮想線で示す）とに上下回動自在に設けると共に、筒状部４２に装填したコイルスプリング４３の螺旋方向に対する復元力により係止が解除される方向に回動付勢している。
【００２８】
且つ、携帯電話Ａに係止された角度及び状態に回動規制する溝部４２ｃを、溝部４２ｂの前面側左縁部に連設して、ストッパー４１を、携帯電話Ａに係止された状態に回動規制する前面側から見て左側の係止位置（図２中の実線で示す）と、その回動規制が解除される前面側から見て右側の解除位置（図２中の仮想線で示す）とにスライド移動可能に設けると共に、コイルスプリング４３の軸方向に対する復元力により溝部４２ｃに対して押込まれる方向に付勢している。
【００２９】
且つ、ストッパー４１は、吊掛け糸３１が、携帯電話Ａの吊掛け及び抜取りが許容される状態に変形及び撓んでも、吊掛け糸３１に吊掛けられた携帯電話Ａに対する係止状態が維持される大きさ及び長さに形成している。また、図３の携帯電話Ａは、他端側Ａｂ端部にアンテナ部Ａｃが突出しているが、携帯電話Ａの折畳み部外面（右側外面及び左側外面）にアンテナ部４ｃが突出していても、そのアンテナ部４ｃに対して当接が回避される範囲内で左右方向にスライド移動及び当接が回避される位置に取付けられているので、操作が妨げられない。
【００３０】
つまり、鉛直状態に起立するストッパー４１を、コイルスプリング４３の螺旋方向の復元力に抗して前面側（手前側）に略９０度回動操作すると、コイルスプリング４３の軸方向の復元力により溝部４２ｃに押込まれ、吊掛け糸３１に吊掛けられた携帯電話Ａに対して係止した状態に回動規制されるので、ストッパー４１を、コイルスプリング４３の復元力に抗して溝部４２ｃから強制的に抜取らないかぎり係止が解除されず、携帯電話Ａの吊掛け状態を確実に保持することができる。且つ、携帯電話Ａの折畳み部外面にアンテナ部Ａｃが突出していても、ストッパー４１の回動操作が妨げられず、携帯電話Ａの吊掛け及び抜取りが容易に行える。
【００３１】
一方、ストッパー４１を、コイルスプリング４３の軸方向の復元力に抗して溝部４２ｃから強制的に抜取ると、コイルスプリング４３の螺旋方向の復元力により係止が解除される方向に回動復帰するので、携帯電話Ａを簡単に抜取り及び取り外すことができる。
【００３２】
図示実施例は上記の如く構成するものにして、以下、携帯機器保持具１０による二つ折り状態に折畳まれた携帯電話Ａの保持方法を説明する。
【００３３】
先ず、携帯機器保持具１０を、図１、図２にも示すように、利用者が装着するズボン（図示省略）のベルトＢに装着する場合、保持具本体２０の取付け部２１をベルトＢに対して上方から跨ぐ状態に装着し、そのベルトＢよりも下方に突出する部分に取付けた止め部材２２の凸状部材２２ａ及び凹状部材２２ｂを互いに係止すると共に、ベルトＢ自体を取付け部２１により厚み方向に挟持して、携帯機器保持具１０をベルトＢ上の所望する位置に固定する。
【００３４】
次に、携帯電話Ａを使用しない場合、図４にも示すように、携帯電話Ａの一端側Ａａ及び他端側Ａｂを相対向する閉角度に折畳んでから及び折畳むまえに、携帯電話Ａの一端側Ａａを、携帯機器保持具１０を構成する保持具本体２０と、突出部３２，３２に架設した吊掛け糸３１との対向面間に上方から挿入する。
【００３５】
且つ、吊掛け糸３１，３１を、携帯電話Ａの一端側Ａａが挿入許容される状態に変形及び撓ませながら、吊掛け糸３１を、携帯電話Ａを構成する一端側Ａａ及び他端側Ａｂの折畳み面間に挿入して、携帯電話Ａを、突出部３２，３２に架設した上位側の吊掛け糸３１に対して跨ぐ状態に吊掛ける。
【００３６】
且つ、吊掛け後において、図３にも示すように、係止部４０のストッパー４１を回動操作及びスライド操作して、吊掛け糸３１に吊掛けられた携帯電話Ａの折畳み部外面に係止すれば、携帯電話Ａの吊掛け状態を保持及び維持することができ、例えば歩行時や走行時、運動時等に発生する衝撃及び振動が携帯電話Ａに付与されても、抜け落ち及び脱落するのを防止することができる。
【００３７】
一方、携帯電話Ａを使用する場合、吊掛け糸３１に吊掛けられた携帯電話Ａを手で保持して、吊掛け糸３１が抜取られる方向（上方）に持上げ及び移動させ、吊掛け糸３１を、携帯電話Ａを構成する一端側Ａａ及び他端側Ａｂの折畳み面間から抜取り、使用可能な開角度に展開して使用する。また、携帯電話Ａの一端側Ａａが吊掛け糸３１に係止されているとき、他端側Ａｂを抜取りながら開角度に展開することもでき、携帯電話Ａを抜取ってから開角する手間が省ける。
【００３８】
且つ、突出部３２，３２間に張架した何れか一方の吊掛け糸３１が切断されるか、弛みが必要以上に大きくなっても、他方の吊掛け糸３１が携帯電話Ａの吊掛け状態を維持するため、携帯電話Ａが脱落するのを防止することができる。なお、一方の吊掛け糸３１が切れた場合、新しい携帯機器保持具１０に交換するか、新しい吊掛け糸３１に交換する等して、２本の吊掛け糸３１が張架された携帯機器保持具１０を使用する。
【００３９】
以上のように、二つ折り状態に折畳まれる携帯電話Ａを、携帯機器保持具１０を構成する保持具本体２０の突出部３２，３２間に架設した吊掛け糸３０に対して跨ぐ状態に吊掛けるので、折畳み式の携帯電話Ａであれば、その厚みや形状に関係なく、様々なサイズの携帯電話Ａを吊掛け状態に保持することができる。且つ、従来例のようにケース内部に収容するか、ケースの開口部を蓋で閉塞する等の手間及び作業が省け、携帯電話Ａの吊掛け及び抜取りが簡単且つ容易に行えると共に、必要時に即取外して使用することができる。
【００４０】
且つ、柔軟性を有する吊掛け糸３０が携帯電話Ａを構成する一端側Ａａ（操作側）の折畳み面に突出する凹凸（例えば操作ボタンや操作レバー、操作ダイヤル等）に略対応して変位及び変形するので、携帯電話Ａの一端側Ａａに付与される接触抵抗が小さく、一端側Ａａ及び他端側Ａｂの折畳み面が傷付いたり、損傷したりするのを防止することができる。
【００４１】
且つ、折畳み式の携帯電話Ａを、保持具本体２０の突出部３２，３２間に架設した吊掛け糸３１に吊掛けるだけの簡単な構造であるため、一つの携帯機器保持具１０を製造するときに要するコストが安く、低価格の携帯機器保持具１０を販売及び提供することができる。
【００４２】
図５、図６は、１本の吊掛け糸３１を、突出部３２，３２の下端側に架設した携帯機器保持具１０の架設した他の例を示し、上端側及び下端側の吊掛け糸３１を、携帯電話Ａの一端側Ａａ及び他端側Ａｂの折畳み面間に対して挿入される上下間隔に隔てて架設している。つまり、下端側の吊掛け糸３１を、上端側の吊掛け糸３１に吊掛けられた携帯電話Ａの一端側Ａａ及び他端側Ａｂの下端側折畳み面間に挿入するので、上端側の吊掛け糸３１を中心として、携帯電話Ａ全体が前面側（手前側）に回動及び揺動するのを防止することができる。且つ、保持具本体２０前面に沿った状態に保持及び規制されるので、例えばガタ付き及び傷付いたりせず、携帯電話Ａの機能及び外観が損なわれるのを防止することができる。且つ、突出部３２，３２の下端側に架設される吊掛け糸３１の本数を、例えば２本及び２本以上に変更することもできる。
【００４３】
図７は、略帯状及び略板状の吊掛け体３３を、保持具本体２０の突出部３２，３２間に架設した携帯機器保持具１０のその他の例を示し、突出部３２，３２間に架設した吊掛け体３３を、携帯電話Ａを構成する一端側Ａａ及び他端側Ａｂの折畳み面間に挿入して、携帯電話Ａを、吊掛け体３３に対して跨ぐ状態に吊掛けるので、前述の実施例と略同等の作用及び効果を奏することができる。且つ、突出部３２，３２の上端側に架設した吊掛け体３３に対して所定間隔に隔てて、１本又は複数本の吊掛け体３３（図中仮想線で示す）を突出部３２，３２の下端側に架設してもよく、上述の図５及び図６に示す他の実施例と略同等の作用及び効果を奏することができる。
【００４４】
図８は、ストッパー４４を、保持具本体２０の上端側中央部に形成した凹状収容部４５に対して水平回動可能に枢着した係止部４０のその他の例を示し、凹状収容部４５に収容されたストッパー４４を前面側（手前側）に回動して、吊掛け糸３１に吊掛けられた携帯電話Ａに係止される突出状態（図中仮想線で示す）に回動停止するので、ストッパー４４を後面側（背面側）に回動して、携帯電話Ａに対して係止が解除される没入状態（図中実線で示す）に回動操作しないかぎり係止が解除されず、携帯電話Ａの吊掛け状態を確実に保持することができる。
【００４５】
一方、ストッパー４４を後面側（背面側）に回動して凹状収容部４５に収容すると共に、携帯電話Ａに対して係止が解除される没入状態（図中実線で示す）に回動停止する。且つ、ストッパー４４は、前述のストッパー４１よりも上方の突出量が少なく、携帯電話Ａの折畳み部外面（右側外面及び左側外面）に突設するアンテナ部４ｃに対して当接回避される長さ及び旋回半径に形成しているので、ストッパー４４の回動操作が携帯電話Ａのアンテナ部４ｃで妨げられたり、携帯電話Ａがストッパー４４に当接することがなく、携帯電話Ａの吊掛け及び抜取りが容易に行える。
【００４６】
且つ、例えば板バネや弾性体、凹凸等の回動抵抗付与部をストッパー４４の回動部分に設けて、ストッパー４４を突出状態及び没入状態に回動規制するか、その回動感触を付与することもできる。
【００４７】
また、携帯電話Ａの両側部外面に対して係止される凸状係止部３４（図中仮想線で示す）を、突出部３２，３２の前面側下端部に相対向して形成するか、凸状係止部３４，３４間を連結部３５で一体的に連結して、前述の吊掛け糸３１及び吊掛け体３３に吊掛けられた携帯電話Ａ全体が前面側（手前側）に回動及び揺動するのを防止してもよい。
【００４８】
なお、上述の図５乃至図８において、前述の図１乃至図４に示す実施例と同一の構成部分は、同一の符号を記してその詳細な説明を省略する。
【図面の簡単な説明】
【図１】折畳み式の携帯電話を保持する携帯機器保持具を示す斜視図。
【図２】携帯電話の吊掛け状態及びストッパーの係止状態を示す正面図。
【図３】携帯電話の吊掛け状態及びストッパーの係止状態を示す平面図。
【図４】携帯電話を上側の吊掛け糸に吊掛けた状態を示す縦断側面図。
【図５】吊掛け糸を上下に架設した携帯機器保持具の他の例を示す正面図。
【図６】携帯電話を上下の吊掛け糸に吊掛けた状態を示す縦断側面図。
【図７】吊掛け体を架設した携帯機器保持具のその他の例を示す正面図。
【図８】ストッパーを水平回動可能に枢着した携帯機器保持具のその他の例を示す平面図。
【符号の説明】
Ａ…携帯電話
Ｂ…ベルト
１０…携帯機器保持具
２０…保持具本体
２１…取付け部
２２…止め部材
３０…吊掛け部
３１…吊掛け糸
３２…突出部
３３…吊掛け体
４０…係止部
４１，４４…ストッパー
【図１】
2004140727.tif 000003
【図２】
2004140727.tif 000004
【図３】
2004140727.tif 000005
【図４】
2004140727.tif 000006
【図５】
2004140727.tif 000007
【図６】
2004140727.tif 000008
【図７】
2004140727.tif 000009
【図８】
2004140727.tif 000010